(57)【要約】【課題】開口を介した異物の侵入や液漏れを抑制することができ、かつ、蓋の回動を容易に行うことができるようにする。【解決手段】蓋３は、回動軸３ａを中心として回動可能に筐体２に取り付けられている。移動部材４は、閉位置を取る蓋３の凹部３ｐと蓋３の回動を阻害するように係合する凸部４ｐを有する。移動機構５は、移動部材４を、凹部３ｐと凸部４ｐとの係合と、蓋３の回動の阻害とが実現される係合位置と、蓋３の回動の阻害が解除される解除位置との間で、筐体２に対して移動させる。【選択図】図３
2018052060.tif 000002
【特許請求の範囲】
【請求項１】
液体を吐出する液体吐出部と、
前記液体吐出部に供給される液体を収容するタンクが格納されるタンク格納部を有する筐体であって、前記タンク格納部と前記筐体の外部とを連通させる開口が形成された筐体と、
前記筐体に回動可能に取り付けられ、前記開口を閉じる閉位置と前記開口を開く開位置とを選択的に取り得る蓋とを備え、
前記筐体に移動可能に取り付けられた移動部材であって、前記閉位置を取る前記蓋と前記蓋の回動を阻害するように係合する係合部を有する移動部材と、
前記移動部材を、前記係合と前記回動の阻害とが実現される係合位置と、前記回動の阻害が解除される解除位置との間で、前記筐体に対して移動させることが可能な移動機構をさらに備えたことを特徴とする液体吐出装置。
【請求項２】
前記解除位置において、前記係合が解除されることを特徴とする請求項１に記載の液体吐出装置。
【請求項３】
前記移動機構は、前記閉位置から前記開位置に移動するときの前記蓋の回動に連動して、前記移動部材を前記係合位置から前記解除位置に移動させることを特徴とする請求項１又は２に記載の液体吐出装置。
【請求項４】
前記移動機構は、前記開位置から前記閉位置に移動するときの前記蓋の回動に連動して、前記移動部材を前記解除位置から前記係合位置に移動させることを特徴とする請求項１〜３のいずれか１項に記載の液体吐出装置。
【請求項５】
前記開口は、前記筐体の側面に形成されていることを特徴とする請求項１〜４のいずれか１項に記載の液体吐出装置。
【請求項６】
前記開口は、前記筐体の上面に形成されていることを特徴とする請求項１〜４のいずれか１項に記載の液体吐出装置。
【請求項７】
前記移動機構は、前記移動部材を前記筐体における前記開口が形成された面と直交する方向に移動させることを特徴とする請求項１〜６のいずれか１項に記載の液体吐出装置。
【請求項８】
前記係合部は、前記蓋に形成された凹部に嵌合する凸部、及び、前記蓋に形成された凸部が嵌合する凹部の少なくとも一方であることを特徴とする請求項１〜７のいずれか１項に記載の液体吐出装置。
【請求項９】
前記係合部は、前記開口の全周に配置されていることを特徴とする請求項１〜８のいずれか１項に記載の液体吐出装置。
【請求項１０】
前記移動部材が前記係合位置を取りかつ前記蓋が前記閉位置を取るとき、前記係合部と前記筐体との、前記筐体における前記開口が形成された面と平行な方向の隙間は、前記蓋と前記筐体との、前記筐体における前記開口が形成された面と直交する方向の隙間よりも小さいことを特徴とする請求項１〜９のいずれか１項に記載の液体吐出装置。
【請求項１１】
前記移動部材が前記係合位置を取るとき、前記係合部が前記筐体と接触していることを特徴とする請求項１０に記載の液体吐出装置。
【請求項１２】
前記係合部が弾性材料からなることを特徴とする請求項１１に記載の液体吐出装置。
【発明の詳細な説明】
【技術分野】
【０００１】
本発明は、液体吐出部と、液体吐出部に供給される液体を収容するタンクが格納されるタンク格納部を有する筐体とを備えた液体吐出装置に関する。
【背景技術】
【０００２】
特許文献１には、カートリッジ装着部（タンク格納部）を有する筐体に、カートリッジ装着部と筐体の外部とを連通させる開口が形成されており、開口を閉じる閉位置と開口を開く開位置とを選択的に取り得る蓋が回動可能に取り付けられた構成が示されている。蓋の端面に形成された係止爪と、筐体の開口縁に形成された係合部とが係合することで、蓋が閉位置に保持される。
【先行技術文献】
【特許文献】
【０００３】
【特許文献１】特開２０１３−５６５０８号公報
【発明の概要】
【発明が解決しようとする課題】
【０００４】
開口を介して筐体の外部からタンク格納部に埃等の異物が侵入すると、当該異物がタンクの液体注入口に付着したりタンクから液体吐出部への液体流路に混入したりすることで、液体吐出部による液体吐出に不具合が生じ得る。また、開口を介してタンク格納部から筐体の外部に液体が漏れる問題も生じ得る。特許文献１では、係合部が閉位置を取る蓋と係合することで、上記問題を抑制することができる。しかしながら、蓋の回動が係合部により阻害され、困難になり得る。
【０００５】
本発明の目的は、開口を介した異物の侵入や液漏れを抑制することができ、かつ、蓋の回動を容易に行うことができる液体吐出装置を提供することにある。
【課題を解決するための手段】
【０００６】
本発明に係る液体吐出装置は、液体を吐出する液体吐出部と、前記液体吐出部に供給される液体を収容するタンクが格納されるタンク格納部を有する筐体であって、前記タンク格納部と前記筐体の外部とを連通させる開口が形成された筐体と、前記筐体に回動可能に取り付けられ、前記開口を閉じる閉位置と前記開口を開く開位置とを選択的に取り得る蓋とを備え、前記筐体に移動可能に取り付けられた移動部材であって、前記閉位置を取る前記蓋と前記蓋の回動を阻害するように係合する係合部を有する移動部材と、前記移動部材を、前記係合と前記回動の阻害とが実現される係合位置と、前記回動の阻害が解除される解除位置との間で、前記筐体に対して移動させることが可能な移動機構をさらに備えたことを特徴とする。
【０００７】
本発明によれば、係合部が閉位置を取る蓋と係合することで、開口を介した異物の侵入や液漏れを抑制することができる。さらに、移動機構により移動部材を係合位置から解除位置に移動させることで、蓋の回動を容易に行うことができる。
【０００８】
前記解除位置において、前記係合が解除されてよい。この場合、蓋の開閉作業をスムーズに行うことができる。
【０００９】
前記移動機構は、前記閉位置から前記開位置に移動するときの前記蓋の回動に連動して、前記移動部材を前記係合位置から前記解除位置に移動させてよい。この場合、制御部の制御によらず移動部材を係合位置から解除位置に移動させることで、電気的構成の複雑化を抑制しつつ、蓋の回動を容易に行えるという効果を得ることができる。
【００１０】
前記移動機構は、前記開位置から前記閉位置に移動するときの前記蓋の回動に連動して、前記移動部材を前記解除位置から前記係合位置に移動させてよい。この場合、制御部の制御によらず移動部材を解除位置から係合位置に移動させることで、電気的構成の複雑化を抑制しつつ、開口を介した異物の侵入や液漏れを抑制できるという効果を得ることができる。
【００１１】
前記開口は、前記筐体の側面に形成されてよい。この場合、カートリッジ式タンクの交換作業を容易に行うことができる。
【００１２】
前記開口は、前記筐体の上面に形成されてよい。この場合、液体補充式タンクの液体補充作業を容易に行うことができる。
【００１３】
前記移動機構は、前記移動部材を前記筐体における前記開口が形成された面と直交する方向に移動させてよい。この場合、簡単な構成で移動部材の移動を実現することができる。
【００１４】
前記係合部は、前記蓋に形成された凹部に嵌合する凸部、及び、前記蓋に形成された凸部が嵌合する凹部の少なくとも一方であってよい。この場合、開口を介した異物の侵入や液漏れをより確実に抑制することができる。
【００１５】
前記係合部は、前記開口の全周に配置されてよい。この場合、開口を介した異物の侵入や液漏れをより確実に抑制することができる。
【００１６】
前記移動部材が前記係合位置を取りかつ前記蓋が前記閉位置を取るとき、前記係合部と前記筐体との、前記筐体における前記開口が形成された面と平行な方向の隙間は、前記蓋と前記筐体との、前記筐体における前記開口が形成された面と直交する方向の隙間よりも小さくてよい。この場合、開口を介した異物の侵入や液漏れをより確実に抑制することができる。
【００１７】
前記移動部材が前記係合位置を取るとき、前記係合部が前記筐体と接触してよい。この場合、開口を介した異物の侵入や液漏れをより確実に抑制することができる。
【００１８】
前記係合部が弾性材料からなってよい。この場合、係合部が筐体と隙間なく接触する構成をより確実に実現することができる。
【発明の効果】
【００１９】
本発明によれば、係合部が閉位置を取る蓋と係合することで、開口を介した異物の侵入や液漏れを抑制することができる。さらに、移動機構により移動部材を係合位置から解除位置に移動させることで、蓋の回動を容易に行うことができる。
【図面の簡単な説明】
【００２０】
【図１】本発明の第１実施形態に係るプリンタを示す斜視図である。
【図２】本発明の第１実施形態に係るプリンタの筐体における蓋が設けられた部分を示す側面図である。
【図３】（ａ）は、図２のＩＩＩＡ−ＩＩＩＡ線に沿った断面図である。（ｂ）は、図３（ａ）の状態から蓋が前方に回動した状態を示す断面図である。
【図４】本発明の第２実施形態に係るプリンタを示す斜視図である。
【図５】（ａ）は、本発明の第３実施形態に係るプリンタにおける図３（ａ）に対応する断面図である。（ｂ）は、図５（ａ）の状態から蓋が前方に回動した状態を示す断面図である。
【発明を実施するための形態】
【００２１】
＜第１実施形態＞
先ず、図１を参照し、本発明の第１実施形態に係るプリンタ１０の全体構成について説明する。
【００２２】
プリンタ１０は、ヘッド１及び筐体２を有する。
【００２３】
ヘッド１は、シアン、マゼンタ、イエロー、ブラックの各色のインクを吐出する複数の吐出口（図示略）を有する。ヘッド１は、キャリッジ１ｃに保持された状態で左右方向に往復移動しながら各吐出口からインクを吐出させることにより、搬送機構（図示略）により後方から前方に搬送される用紙Ｐ上に画像を形成する。
【００２４】
筐体２は、タンク格納部２ｔを有する。タンク格納部２ｔには、４つのカートリッジ式のタンクＴが格納されている。各タンクＴは、ヘッド１に供給される各色インクを収容しており、タンク格納部２ｔに格納された状態においてチューブ１ｔを介してヘッド１と連通している。筐体２の前方の側面には、タンク格納部２ｔと筐体２の外部とを連通させる開口２ｘが形成されている。
【００２５】
筐体２における開口２ｘが形成された部分には、蓋３が取り付けられている。蓋３は、回動軸３ａを中心として回動可能に筐体２に取り付けられており、開口２ｘを閉じる閉位置（図１で実線で示す位置）と開口２ｘを開く開位置（図１で破線で示す位置）とを選択的に取り得る。回動軸３ａは、筐体２における開口２ｘの下方において左右方向に延在している。蓋３の外面の上部には、取っ手３ｈが設けられている。ユーザは、取っ手３ｈを把持して蓋３の開閉作業を行うことができる。
【００２６】
次いで、図２及び図３を参照し、筐体２及び蓋３の構成について具体的に説明する。なお、図３では、タンクＴの図示を省略している。
【００２７】
筐体２におけるタンク格納部２ｔの前端には、図３に示すように、移動部材４が設けられている。移動部材４は、上下方向に延在する支持部４ｑと、支持部４ｑの上端及び下端に支持され、支持部４ｑから前方に突出した凸部４ｐとを含む。支持部４ｑは、タンク格納部２ｔの右端に配置されており、バネ４ｓにより後方に付勢されている。凸部４ｐは、図２に示すように、開口２ｘの全周に亘って環状に設けられている。支持部４ｑは剛材料（樹脂等）からなり、凸部４ｐは弾性材料（ゴム等）からなる。凸部４ｐは、筐体２における開口２ｘを画定する各壁（即ち、上壁２ｗ１、下壁２ｗ２及び左右の側壁）と、隙間なく接触している。
【００２８】
蓋３の内面には、凸部４ｐと対応するように、凹部３ｐが環状に形成されている。図３（ａ）に示すように、蓋３が閉位置を取るとき、凹部３ｐに凸部４ｐが嵌合する。これにより、蓋３が閉位置に保持されると共に、蓋３の回動が阻害されるようになっている。即ち、移動部材４は、閉位置を取る蓋３と蓋３の回動を阻害するように係合する係合部として、凸部４ｐを有する。蓋３が閉位置を取るとき、凸部４ｐと凹部３ｐとの嵌合、及び、凸部４ｐが筐体２における開口２ｘを画定する各壁と隙間なく密着することにより、開口２ｘが気密に塞がれ、タンク格納部２ｔが密閉される。このとき、凸部４ｐと筐体２との上下方向の隙間Ｄ１は、略ゼロであり、蓋３と筐体２との前後方向の隙間Ｄ２よりも小さい。
【００２９】
筐体２には、移動部材４を筐体２に対して前後方向に移動させるための移動機構５が設けられている。移動機構５は、支持部４ｑと同様、タンク格納部２ｔの右端に配置されている。移動機構５は、左右方向に沿った回動軸５ｘａを中心として回動可能な回動部材５ｘと、回動部材５ｘを図３において時計回りに回動する方向に付勢するバネ５ｙとを含む。回動部材５ｘは、後方に突出する２つの突出部５ｘ１，５ｘ２を有する。突出部５ｘ１は、支持部４ｑよりも左方に位置する。突出部５ｘ２は、左右方向において支持部４ｑと重なり、常に支持部４ｑと接触する。図３（ａ）に示すように、蓋３が閉位置を取るとき、突出部５ｘ１の先端面は、蓋３の内面に設けられた突起３ｘの先端面と接触し、突出部５ｘ２の先端面は、支持部４ｑの後面と接触している。
【００３０】
次いで、蓋３の開閉作業の手順について説明する。
【００３１】
蓋３を開ける際、ユーザは、取っ手３ｈを把持しつつ、蓋３を閉位置から開位置に向けて（図３（ｂ）の太矢印方向に）回動させる。この回動の初期段階（蓋３が閉位置から開位置に向けて回動し始めた段階）において、突起３ｘが突出部５ｘ１から離隔することに伴い、回動部材５ｘがバネ５ｙの付勢力により図３において時計回りに回動する。すると、突出部５ｘ２が後方に移動し、支持部４ｑがバネ４ｓの付勢力により突出部５ｘ２と共に後方に移動し、移動部材４全体が後方に移動する。これにより、移動部材４は、図３（ａ）に示す係合位置から、図３（ｂ）に示す解除位置に移動する。換言すると、移動機構５は、閉位置から開位置に移動するときの蓋３の回動に連動して、移動部材４を係合位置から解除位置に移動させる。
【００３２】
係合位置は、凹部３ｐと凸部４ｐとの係合と、蓋３の回動の阻害とが実現される位置である。解除位置は、凹部３ｐと凸部４ｐとの係合と、蓋３の回動の阻害とが解除される位置である。
【００３３】
蓋３を閉める際、ユーザは、例えば蓋３を開位置に保持してタンクＴをタンク格納部２ｔ内に配置した後、取っ手３ｈを把持しつつ、蓋３を開位置から閉位置に向けて（図３（ｂ）の太矢印方向と逆の方向に）回動させる。この回動の後半の段階（蓋３が閉位置に到達する直前）において、突起３ｘが突出部５ｘ１に当接して突出部５ｘ１を後方に押圧することで、回動部材５ｘがバネ５ｙの付勢力に抗して図３において反時計回りに回動する。これに伴い、突出部５ｘ２が前方に押し出され、支持部４ｑがバネ４ｓの付勢力に抗して前方に移動し、移動部材４全体が前方に移動する。これにより、移動部材４は、図３（ｂ）に示す解除位置から、図３（ａ）に示す係合位置に移動する。換言すると、移動機構５は、開位置から閉位置に移動するときの蓋３の回動に連動して、移動部材４を解除位置から係合位置に移動させる。
【００３４】
以上に述べたように、本実施形態によれば、凸部４ｐが閉位置を取る蓋３と係合することで、開口２ｘを介した異物の侵入やインク漏れを抑制することができる（図３（ａ）参照）。さらに、移動機構５により移動部材４を係合位置（図３（ａ）参照）から解除位置（図３（ｂ）参照）に移動させることで、蓋３の回動を容易に行うことができる。
【００３５】
解除位置において、凹部３ｐと凸部４ｐとの係合が解除されている（図３（ｂ）参照）。この場合、蓋３の開閉作業をスムーズに行うことができる。
【００３６】
移動機構５は、閉位置から開位置に移動するときの蓋３の回動に連動して、移動部材４を係合位置（図３（ａ）参照）から解除位置（図３（ｂ）参照）に移動させる。この場合、制御部の制御によらず移動部材４を係合位置から解除位置に移動させることで、電気的構成の複雑化を抑制しつつ、蓋３の回動を容易に行えるという効果を得ることができる。
【００３７】
移動機構５は、開位置から閉位置に移動するときの蓋３の回動に連動して、移動部材を解除位置（図３（ｂ）参照）から係合位置（図３（ａ）参照）に移動させる。この場合、制御部の制御によらず移動部材を解除位置から係合位置に移動させることで、電気的構成の複雑化を抑制しつつ、開口２ｘを介した異物の侵入やインク漏れを抑制できるという効果を得ることができる。
【００３８】
開口２ｘは、筐体２の側面に形成されている（図１参照）。この場合、カートリッジ式タンクＴの交換作業を容易に行うことができる。
【００３９】
移動機構５は、移動部材４を筐体２における開口２ｘが形成された面と直交する方向に移動させる（図３（ａ），（ｂ）参照）。この場合、簡単な構成で移動部材４の移動を実現することができる。
【００４０】
移動部材４における蓋３との係合部は、蓋３に形成された凹部３ｐに嵌合する凸部４ｐである（図３（ａ），（ｂ）参照）。この場合、開口２ｘを介した異物の侵入やインク漏れをより確実に抑制することができる。
【００４１】
凸部４ｐは、開口２ｘの全周に配置されている（図２参照）。この場合、開口２ｘを介した異物の侵入やインク漏れをより確実に抑制することができる。
【００４２】
移動部材４が係合位置を取りかつ蓋３が前記閉位置を取るとき（図３（ａ）参照）、凸部４ｐと筐体２との上下方向（筐体２における開口２ｘが形成された面と平行な方向）の隙間Ｄ１は、蓋３と筐体２との前後方向（筐体２における開口２ｘが形成された面と直交する方向）の隙間Ｄ２よりも小さい。この場合、開口２ｘを介した異物の侵入やインク漏れをより確実に抑制することができる。
【００４３】
移動部材４が係合位置を取るとき、凸部４ｐが筐体２と接触している（図３（ａ）参照）。この場合、開口２ｘを介した異物の侵入やインク漏れをより確実に抑制することができる。
【００４４】
凸部４ｐが弾性材料からなる。この場合、凸部４ｐが筐体２と隙間なく接触する構成をより確実に実現することができる。
【００４５】
＜第２実施形態＞
続いて、図４を参照し、本発明の第２実施形態に係るプリンタ２０について説明する。
【００４６】
本実施形態に係るプリンタ２０は、開口２ｘが筐体２の側面ではなく上面に形成されている点、及び、タンク格納部２ｔに格納される各タンクＴがカートリッジ式ではなくインク補充式である点において、第１実施形態に係るプリンタ１０と異なる。
【００４７】
本実施形態では、開口２ｘが筐体２の上面に形成されているため、移動機構５は上下方向（筐体２における開口２ｘが形成された面と直交する方向）に移動部材４を移動させる。
【００４８】
本実施形態によれば、第１実施形態と同様の構成により同様の効果を得ることができると共に、開口２ｘが筐体２の上面に形成されており、インク補充式タンクＴのインク補充作業を容易に行うことができる。
【００４９】
＜第３実施形態＞
続いて、図５を参照し、本発明の第３実施形態に係るプリンタについて説明する。なお、図５では、タンクＴの図示を省略している。
【００５０】
本実施形態は、移動部材及び移動機構の構成が第１実施形態と異なる。
【００５１】
本実施形態において、移動部材３４は、上下方向に延在する支持部３４ｑと、支持部３４ｑの上端及び下端に支持され、支持部３４ｑから前方に突出した凸部３４ｐとを含む。支持部３４ｑは、タンク格納部２ｔの右端に配置されている。凸部３４ｐは、開口２ｘの全周に亘って環状に設けられている。なお、凸部３４ｐのうち開口２ｘの下辺に沿って延在する部分は、支持部３４ｑから後方にも突出しており、上面にラックが形成されている。支持部３４ｑは剛材料（樹脂等）からなり、凸部３４ｐは弾性材料（ゴム等）からなる。凸部３４ｐは、筐体２における開口２ｘを画定する各壁（即ち、上壁２ｗ１、下壁２ｗ２及び左右の側壁）と、隙間なく接触している。
【００５２】
本実施形態において、移動機構３５は、２つのギヤ３５ｘ，３５ｙを含む。ギヤ３５ｘ，３５ｙは、タンク格納部２ｔの右端に配置されている。ギヤ３５ｘは、ギヤ３５ｙと噛合し、かつ、蓋３の内面に設けられたラック部材３３ｘと噛合している。ギヤ３５ｙは、ギヤ３５ｘと噛合し、かつ、凸部３４ｐのうち開口２ｘの下辺に沿って延在する部分に設けられたラックと噛合している。
【００５３】
次いで、蓋３の開閉作業の手順について説明する。
【００５４】
蓋３を開ける際、ユーザは、取っ手３ｈを把持しつつ、蓋３を閉位置から開位置に向けて（図５（ｂ）の太矢印方向に）回動させる。このとき、ラック部材３３ｘの移動と共に、ギヤ３５ｘが図５において反時計回りに回転する。そして、ギヤ３５ｘの回転がギヤ３５ｙに伝達され、ギヤ３５ｙが図５において時計回りに回転するのに伴い、開口２ｘの下辺に沿って延在する凸部３４ｐが後方に移動し、移動部材３４全体が後方に移動する。これにより、移動部材３４は、図５（ａ）に示す係合位置から、図５（ｂ）に示す解除位置に移動する。換言すると、移動機構３５は、閉位置から開位置に移動するときの蓋３の回動に連動して、移動部材３４を係合位置から解除位置に移動させる。
【００５５】
蓋３を閉める際、ユーザは、例えば蓋３を開位置に保持してタンクＴをタンク格納部２ｔ内に配置した後、取っ手３ｈを把持しつつ、蓋３を開位置から閉位置に向けて（図５（ｂ）の太矢印方向と逆の方向に）回動させる。このとき、ラック部材３３ｘの移動と共に、ギヤ３５ｘが図５において時計回りに回転する。そして、ギヤ３５ｘの回転がギヤ３５ｙに伝達され、ギヤ３５ｙが図５において反時計回りに回転するのに伴い、開口２ｘの下辺に沿って延在する凸部３４ｐが前方に移動し、移動部材３４全体が前方に移動する。これにより、移動部材３４は、図５（ｂ）に示す解除位置から、図５（ａ）に示す係合位置に移動する。換言すると、移動機構３５は、開位置から閉位置に移動するときの蓋３の回動に連動して、移動部材３４を解除位置から係合位置に移動させる。
【００５６】
本実施形態によれば、第１実施形態と同様の構成により同様の効果を得ることができる。
【００５７】
以上、本発明の好適な実施の形態について説明したが、本発明は上述の実施形態に限られるものではなく、特許請求の範囲に記載した限りにおいて様々な設計変更が可能なものである。
【００５８】
・開口は、筐体のいずれの面に形成されてもよく、例えば筐体の下面に形成されてもよい。
・係合部は、蓋に形成された凹部に嵌合する凸部に限定されず、蓋に形成された凸部が嵌合する凹部であってもよく、凸部及び凹部の両方を含んでもよい。
・係合部は、開口の全周に配置されることに限定されず、開口の一部に配置されてもよい。
・係合部は、弾性材料からなることに限定されず、剛材料からなってもよい。
・移動部材が係合位置を取るとき、係合部が筐体と接触していなくてもよい。
・移動部材及び移動機構は、タンク格納部に配置されることに限定されず、任意の位置（例えば、筐体における開口を画定する壁の外側）に配置されてよい。
・移動機構は、移動部材を、筐体における開口が形成された面と直交する方向以外の方向（例えば、筐体における開口が形成された面と平行な方向）に移動させてもよい。
・移動機構は、蓋の回動に連動して移動部材を移動させることに限定されず、蓋の回動とは独立して、移動部材を移動させてもよい。
・移動部材の係合位置と解除位置との間での移動や、蓋の回動は、ユーザの手動により実現されることに限定されず、制御部の制御により実現されてもよい。
・本発明は、プリンタに限定されず、ファクシミリ、コピー機、複合機等にも適用可能である。
【符号の説明】
【００５９】
１  ヘッド（液体吐出部）
２  筐体
２ｔ  タンク格納部
２ｘ  開口
３  蓋
３ａ  回動軸
３ｐ  凹部
４  移動部材
４ｐ  凸部（係合部）
５  移動機構
５ｘ  回動部材
５ｙ  バネ
１０；２０  プリンタ（液体吐出装置）
３４  移動部材
３４ｐ  凸部（係合部）
３５  移動機構
３５ｘ，３５ｙ  ギヤ
Ｄ１，Ｄ２  隙間
Ｔ  タンク
【図１】
2018052060.tif 000003
【図２】
2018052060.tif 000004
【図３】
2018052060.tif 000005
【図４】
2018052060.tif 000006
【図５】
2018052060.tif 000007